(57)【特許請求の範囲】
【請求項１】
両側縁に達する凹部の形成された挟持部と操作部とをそれぞれ備える第１挟持部材及び第２挟持部材が互いに相手方に対して回動可能に、かつ前記挟持部が互いに接近する方向に付勢されて軸支されてなる間接工法用シートはさみであって、
前記第１挟持部材は前記第２挟持部材における挟持部の先端面を覆うように突出する屈曲部を当該第２挟持部材側に備え、該屈曲部は、前記第１挟持部材の先端部に設けられた軸を介して回動可能とされてなることを特徴とする間接工法用シートはさみ。
【請求項２】
前記各挟持部の凹部には、自らが変形することで複数の線材を個別に保持可能な軟質クッション材が充填され、複数の電線を個々に独立して挟持可能に構成されてなる請求項１に記載の間接工法用シートはさみ。
【請求項３】
前記各挟持部の凹部は同形ないし相似形を呈し、当該各挟持部の長さ方向に連続して複数配置され、複数の電線を個々に独立して挟持可能に構成されてなる請求項１又は２に記載の間接工法用シートはさみ。
【請求項４】
両側縁に達する凹部の形成された挟持部と操作部とをそれぞれ備える第１挟持部材及び第２挟持部材が互いに相手方に対して回動可能に、かつ前記挟持部が互いに接近する方向に付勢されて軸支されてなる間接工法用シートはさみであって、
前記第１挟持部材の先端部には、前記第２挟持部材の先端部に向けて突出する突起部を備え、前記第２挟持部材の先端部には当該突起部を受け入れて係合可能な凹溝が形成されてなることを特徴とする間接工法用シートはさみ。
【請求項５】
前記各挟持部の凹部には、自らが変形することで複数の線材を個別に保持可能な軟質クッション材が充填され、複数の電線を個々に独立して挟持可能に構成されてなる請求項４に記載の間接工法用シートはさみ。
【請求項６】
前記各挟持部の凹部は同形ないし相似形を呈し、当該各挟持部の長さ方向に連続して複数配置され、複数の電線を個々に独立して挟持可能に構成されてなる請求項４又は５に記載の間接工法用シートはさみ。
【請求項７】
請求項１〜６のいずれか１項に記載の間接工法用シートはさみと軟質の絶縁シートとの組み合わせ体からなることを特徴とする間接シート。
【発明の詳細な説明】
【技術分野】
【０００１】
本発明は、高圧架空配電線路の活線工事において、電線の充電部に被せる絶縁シートを固定する場合のほか、配電機器取換の際に切断した電線の端部を他の電線などの機器に仮固定するのに使用可能な間接活線工法用シートはさみ（以下、単に間接工法用シートはさみという。）、および該間接工法用シートはさみを絶縁シートに装着した間接シートに関する。
【背景技術】
【０００２】
高圧架空配電線路の活線工事では、配電線路に近接して作業を行う場合には、作業位置の周囲の電線の充電部などに絶縁シートをかぶせ、シートクリップまたはシートはさみ（以下、両者を総称してシートはさみということとする。）で仮固定することが行われる。図１０は、従来の間接工法用シートはさみの一例を示しており、（ａ）は平面図、（ｂ）は側面図である。この例におけるシートはさみ８は、通常、硬質のプラスチック材料などで形成されており、図１０（ａ）に示すように、上下挟持部材１０，１１と、これらをその略中間で軸支する軸１５と、軸１５の位置でこれを覆い隠すように上下挟持部材１０，１１に嵌装される円環状カバー１4とを備えている。上下挟持部材１０，１１は、図面に向かって軸１５の位置よりも右側の操作部にはそれぞれヤットコなど1の間接把持工具で把持できるように、それぞれ互いに反対向きに、滑りと止め加工を施した平坦な表面を有する上下のグリップ１０ａ、１１ａが形成されている。また、軸１５の位置よりも左側（シート挟持側）の互いに対向する内面には、緩やかに湾曲して窪んだ凹部１０ｂ，１１ｂ及び側面視長方形状に切り欠かれた凹部１０Ｃ、１１Ｃが形成されている。これら上下挟持部材１０，１１のシート挟持側は、軸１５に嵌装された不図示のコイルばねによって互いに接近して閉じる方向に付勢されており、閉じた状態では上下グリップ１０ａ、１１ａ
の表面がほぼ平行になるように構成されている（特許文献１参照）。
【０００３】
ところで、間接活線工法により配電変圧器の吊替えや高圧カットアウトの取換えを行う際、高圧引下線を切断して電路を開放する必要がある。通常、引下線は充電状態にあるので地絡事故などの発生を防止し、また取換作業に支障にならないように、高圧引下線を１線ごと切断するか、または２線を切断した上で、図１０に示したような間接工法用シートはさみ１を用いてこれ（ら）を架空配電線や切断していない高圧引下線に仮止めすることが行われる（図１１参照）。その場合、このシートはさみで単に高圧引下線１線のみを挟持し、切断していない引下線に安定して仮止めするのは容易であり、挟持する引下線が外れることはない。しかし、変圧器吊替え作業を行う場合には、切断した高圧引下線２線をこのシートはさみで挟持して切断して+いない引下線などに仮止めするので、経験豊富な作業者でもコツが必要であり、熟練していない作業者では仮止めするだけで長時間を要することがあった。また、慎重に電線の仮止め作業を完了したとしても、風などにより引下線が振動し、他の作業中に器具などを当てたりすることで、切断した高圧引下線の一方または双方が外れることがあった。
【０００４】
また、例えば図１０に示す従来の間接工法用シートはさみを軟質の絶縁シートと組み合わせた間接シートを電線の仮止めに使用することも可能であるが、もともと電線の挟持力が十分でないため、引下線自体を確実に防護することができず、引下線が間接シートの隙間から抜け出してしまうことが起こり得る。
【先行技術文献】
【特許文献】
【０００５】
【特許文献１】特許第３７０９１０４号明細書
【特許文献２】特開２００９−１７１７０９号公報
【発明の概要】
【発明が解決しようとする課題】
【０００６】
本発明は、前記事情に鑑み、通常の絶縁シートの仮固定に使用するだけでなく、間接活線工事の際に活線状態の複数の電線を容易かつ安定的に挟持できる電線挟持具として使用可能な間接工法用シートはさみ及び間接シートを提供することを目的とする。
【課題を解決するための手段】
【０００７】
前記目的は、本発明の一局面によれば、両側縁に達する凹部の形成された挟持部と操作部とをそれぞれ備える第１挟持部材及び第２挟持部材が互いに相手方に対して回動可能に、かつ前記挟持部が互いに接近する方向に付勢されて軸支されてなる間接工法用シートはさみであって、前記第１挟持部材は前記前記第２挟持部材における挟持部の先端面を覆うように突出する屈曲部を当該第２挟持部材側に備え、該屈曲部は、前記第１挟持部材の先端部に設けられた軸を介して回動可能とされてなることを特徴とする間接工法用シートはさみによって達成される。
【０００８】
前記目的は、本発明の一局面によれば、両側縁に達する凹部の形成された挟持部と操作部とをそれぞれ備える第１挟持部材及び第２挟持部材が互いに相手方に対して回動可能に、かつ前記挟持部が互いに接近する方向に付勢されて軸支されてなる間接工法用シートはさみであって、前記第１挟持部材の先端部には、前記第２挟持部材の先端部に向けて突出する突起部を備え、前記第２挟持部材の先端部には当該突起部を受け入れて係合可能な凹溝が形成されてなることを特徴とする間接工法用シートはさみによって達成される。
【０００９】
前記各挟持部の凹部は、ここに複数の電線を挟持する場合、これらを個々に独立して挟持できるように構成することができる。例えば、凹部のそれぞれに自らが変形することで複数の電線を個別に保持可能な軟質クッション材を充填し、あるいはそれぞれの凹部を当該各挟持部の長さ方向に連続して複数配置される同形ないし相似形のものに形成することができる。
【００１０】
また、前記目的は、前記間接工法用シートはさみと軟質の絶縁シートとの組み合せ体からなることを特徴とする間接シートによって達成される。
【発明の効果】
【００１１】
本発明の間接工法用シートはさみは、第１挟持部材の先端部に第２挟持部材の先端側に突出する屈曲部または突起部を設けることとしたので、これで複数の電線を挟持して仮止めする場合でも、当該複数の電線の全部または一部が外れることがなくなり、熟練していない作業者でも短時間で作業を行うことができ、作業効率化が図られる。また、従来の間接工法用シートはさみを一部改良するだけで済むので本発明の間接工法用シートはさみの作製は容易であり、このような改良によってもその本来の用途のほかに電線を確実に仮保持するのにも使用できる。
【図面の簡単な説明】
【００１２】
【図１】本発明の間接工法用シートはさみに関連する一参考例を示す参考図である。
【図２】図１に示す間接工法用シートはさみの変形例を示す図である。
【図３】本発明の間接工法用シートはさみの実施形態の一例を示す図である。
【図４】本発明の間接工法用シートはさみに関連する別の参考例を示す参考図である。
【図５】本発明の間接工法用シートはさみの実施形態の別の例を示す図である。
【図６】本発明の間接工法用シートはさみの実施形態のさらに別の例を示す図である。
【図７】本発明の間接工法用シートはさみの実施形態のさらに別の例を示す図である。
【図８】本発明の間接シートの実施形態の一例を示す図である。
【図９】図７に示す実施形態の分解図である。
【図１０】間接工法用シートはさみの従来例を示す図である。
【図１１】従来の間接工法用シートはさみの使用状態を示す図である。
【発明を実施するための形態】
【００１３】
以下、添付図面を参照して、本発明の実施形態について詳細に説明する。なお、以下の各図では、同一または共通の各部については同一の符号を用い、重複する説明は省略することとする。また、図２〜図７に示す各実施形態は、図１に示す参考例をベースにこれに変更を加えたものであるので、以下では、説明を簡潔にすべく、図１の参考例との相違点について説明し、必要な場合を除いては、それ以外の構成についての説明を省略する。また、図２〜図７の各図においても図１の参考例に図示された構成については省略する場合がある。
【００１４】
図１は、本発明の間接工法用シートはさみの一参考例を示す図である。この図に示す間接工法用シート１はさみは、第１挟持部材１０及び第２挟持部材１１が軸１５を中心として互いに相手方に対して回動可能に軸支されており、第１挟持部材１０の先端部には、第２挟持部材１１の側に突出する屈曲部２２が設けられている。
【００１５】
第１挟持部材１０および第２挟持部材１１はそれぞれ、軸１５の軸支位置を境にして両側に挟持部１０ａ，１１ａ及び操作部１０ｂ、１１ｂを配している。軸１５には、不図示のコイルばねが嵌装され、その両端部がそれぞれ操作部１０ｂ、１１ｂの内側に延在しており、これにより前記挟持部１０ａ，１１ａが互いに接近する方向に付勢されている。
【００１６】
各挟持部１０ａ、１１ａは、それぞれ略直方体形状を備えており、両者の互いに対向する内面には、これらの長さ方向両側縁に達するように凹部１０ｃ、１０ｄ；１１ｃ、１１ｄが形成されている。凹部１０ｃ、１１ｃは緩やかに湾曲した側面視円弧状のくぼみに形成され、凹部１０ｄ、１１ｄは側面視長方形状に切り欠かれている。また、各挟持部１０ａ，１１ａの先端部には、両側縁に貫通する貫通孔１２，１３がそれぞれ穿設されている。また、各挟持部１０ａ、１１ａの互いに反対方向を向く外面には、間接工法用シートはさみ１の強度特性を維持しながら軽量化を図るために、それぞれの長さ方向に沿って複数のスリット１１ｆ、１１ｆ、・・・が整列して設けられている。このスリット１１ｆの断面形状、深さや各挟持部外面に配置される数については、間接工法用シートはさみ１自体の強度、耐変形性などを考慮して適宜設定できる。
【００１７】
操作部１０ｂ、１１ｂの互いに反対を向く外面にはそれぞれ、滑りと止め加工を施した平坦な表面を有するグリップ面が形成されており、挟持部１０ａ、１１ａが閉じた状態ではこれらのグリップ面は側面視略平行になるように構成されている。このようにグリップ面を形成することで、当該面をヤットコなどの間接活線把持工具で確実に把持できるようにされている。
【００１８】
第１挟持部材１０の先端部（挟持部）における屈曲部２２は、第２挟持部材１１における挟持部の先端面を覆うように突出して形成されている。この屈曲部２２の内面と第２挟持部材１１の先端面とは、図１に示すように、適宜の間隙を設けるのが好ましい。この場合、間接工法用シートはさみ１にて複数の電線を挟持した際に何らかの原因によりその一部または全部がこの間隙を通して抜け出ることがないように、間隙の大きさは挟持する電線の直径と略同等か、またはそれ以下に設定するのが好ましい。そして、この間隔の大きさは、屈曲部２２の根本から先端に至るまで略同等か、または先端に向けて僅かに縮小するように設定することができる。なお、屈曲部２２の内面と第２挟持部材１１における挟持部の先端面との間の間隔をなくし、両者を当接させることも可能であることはいうまでもない。
【００１９】
第２挟持部材１１における挟持部の先端面とその長さ方向とのなす角度は、約７０〜１５０°の範囲で任意に設定でき、好ましくは略直角ないし１３５°程度に設定するのがよい（図２参照）。
【００２０】
第１挟持部材１０および第２挟持部材１１はそれぞれ硬質プラスチックなどの絶縁体で挟持部１０ａ、１１ａと操作部１０ｂ、１１ｂとを一体にして構成することができる。これらの成形は、例えば射出成型法などを用いて行うことができる。
【００２１】
図３は、本発明の間接工法用シートはさみの実施形態の一例を示している。この図に示す間接工法用シートはさみ１では、挟持部１０ａの先端部に幅方向に平行に設けられた軸２８によってその軸心回りに挟持部１０ａの長さ方向に平行な位置から略直角な位置まで屈曲部２２が回動可能とされている。この場合、屈曲部２２は適宜の位置で固定できるようにしてもよく、またこの屈曲部２２が第１挟持部材１０の先端側にその長さ方向に平行に固定される場合には、第２挟持部材１１の先端部を公知の方法により伸縮可能に構成することもできる。また、屈曲部２２は、軸２８に通常の方法により取り付け可能なコイルばねなどの公知の付勢手段を用いて第２挟持部材１１の挟持部１１ａの先端面に向けて付勢されるように構成することができる。なお、その他の構成については、図１に示した実施形態と本質的に変わるところはないので、説明を省略する。
【００２２】
図４は、本発明の間接工法用シートはさみに関連する別の参考例を示している。この図に示す間接工法用シートはさみ１では、挟持部１０ａ（第１挟持部材１０）の先端に着脱自在に取り付けられる屈曲部３１を備えている。この屈曲部３１は、側面視略Ｌ字状の絶縁性の本体を有し、挟持部１０ａの先端面に当接される接合面の略中央からは、平板状の差込用突片３３が突設されている。この差込用突片３３の略中央領域には、挟持部１０ａの先端部に穿設された貫通孔１２と略同等の直径を有する貫通孔３４が穿設されている。一方、挟持部１０ａの先端面には、差込用突片３３を受け入れ可能な溝３５が設けられている。この溝３５に差込用突片３３を差し込むことにより、貫通孔３４が挟持部１０ａの先端部に穿設された貫通孔１２に合致するようになっている。溝３５に差し込み部材３３を差し込み、貫通孔１２にこれと略同等またはそれより僅かに小さい外径の円柱状または円筒状のピンなどを嵌入することで、屈曲部３１は挟持部１０ａの先端部に取り付けられる。図４に示す間接工法用シートはさみ１は、電線仮止めに使用する場合には、前記屈曲部３１を装着し、それ以外の場合には通常通り絶縁シートの仮固定に用いることができる。なお、図４に示す参考例についても他の構成は図１のそれと本質的に変わらないので、説明を省略する。
【００２３】
図５は、挟持部１０ａ（第１挟持部材１０）の先端部に屈曲部２２（図１参照）の代わりに突起部３５を設けた本発明の実施形態の別の例を示している。なお、この図では、操作部側は図１と本質的に変わりはないので、図示を省略している。突起部３５は略四角錐形状を呈し、第１挟持部材１０の先端部内面における幅方向略中央に設けられている。それに対して、挟持部１１ａ（第２挟持部材１１）の先端部内面には、突起部３５を受け入れてこれと係合する凹溝３６が刻設されている。このように、挟持部１０ａ、１１ａが閉じた状態で突起部３５と凹溝３６が係合する構成とすることで、構造上、これら挟持部１０ａ、１１ａで複数の電線を挟持した場合に、何らかの原因で当該電線の一部または全部がそこから抜け出ないように構成することができる。
【００２４】
図６は、本発明による間接工法用シートはさみの実施形態のさらに別の例として、図３に示した実施形態における各挟持部材の凹部の改良形を示している。なお、図６では、上記改良に係る部分以外は図３に示した構成を備えるものとする。この図に示す間接工法用シートはさみ１では、挟持部１０ａ、１１ａの凹部をその長さ方向に延長した湾曲状のくぼみ１０ｇ、１１ｇのみとし、当該凹部１０ｇ、１１ｇをそれぞれ軟質クッション材１８、１９で埋めている。特に電線の仮止めに本実施形態の間接工法用シートはさみ１を用いる場合、このようにクッション材１８、１９を設けることで、図６（ｂ）に示すように、複数の電線Ｗ１、Ｗ２、Ｗ３をそれぞれ個別に安定して挟持することができる。しかも、挟持部１０ａ、１１ａに対して電線を斜めに挟持することができる点で融通性がある。そして、複数の電線を仮止めした後に、振動などによりこれらの一部がクッション材１８、１９中で先端側にずれて外れ、挟持部１０ａ、１１ａの一方を押し上げることになったとしても、本実施形態の間接工法用シートはさみは屈曲部２２を備えるので、その電線がシートはさみから抜け出ることがない。
【００２５】
図７は、図６と同様に、図３に示した実施形態における各挟持部材の凹部を改良した本発明の実施形態のさらに別の例を示している。すなわち、本実施形態では、挟持部１０ａ、１１ａの対向する内面に、各挟持部１０ａ、１１ａの長さ方向に複数の側面視三角形状の切り込みを連続して配置した鋸刃状の凹部１０ｈ、１０ｈ、・・・；１１ｈ、１１ｈ、・・・がそれぞれ形成されている。なお、図６では、上記改良に係る部分以外は図３に示した構成を備えるものとする。この図に示す実施形態では、これで電線などに被せた絶縁シートを挟持して固定する場合に、この凹部によって絶縁シートがずれるのを防止できる。また、本実施形態の間接工法用シートはさみを用いて複数の電線を挟持する場合、これらの凹部１０ｈ，１１ｈで形成される側面視三角形の断面を有する個々の開口２０にそれぞれ電線を挟持することができる。複数の電線のうちの一部または全部を鋸刃状の凹部１０ｈ、１１ｈに対して斜めに挟持せざるを得ない場合、挟持部１０ａ、１１ａは完全に閉じることのできない状態となるが、先端部に屈曲部２２が設けられているので、電線が抜け出ることがなく、確実に複数の電線を挟持することができる。
【００２６】
本発明の間接工法用シートはさみは、絶縁シートと組み合わせて間接シートとして用いることができる。図８は、本発明の間接シートの一実施形態を示しており、図９は、図８に示した間接シートの構成を説明するための図である。これらの図に示す間接シート２は、図１に示す間接工法用シートはさみ１と、絶縁シート４２と、２本の棒状体４０、４１とから構成されている。なお、間接工法用シートはさみ１は、図３に示した実施形態の構成を備えるものとし、これらの構成についてはすでに説明しているので、重複した説明を省略する。
【００２７】
絶縁シート４２は、四角形状の平面を有する絶縁性の軟質シートであり、これを中間の折り目４２ａから２つ折りにして使用されるものである。図８および図９では、このように２つ折りによって得られる２つの区画をそれぞれ符号４３、４４で示している。
【００２８】
これらの２つの区画４３，４４のそれぞれには、同じ面に折り目４２ａに平行な２つの辺寄りに当該各辺に平行にそれぞれ開口する円筒状の被嵌入部材４５〜４８（それぞれの開口を符号４５ａ，４６ａ，４７ａ，４８ａで示す）が設けられている。各被嵌入部材４５〜４８は絶縁性であれば、絶縁シートと同種の材質で形成してもよく、異種の材質で形成してもよい。各被嵌入部材４５〜４８は、異質の材質で形成されている場合には、軟質であっても硬質であってもよいが、軟質であるのが好ましい。被嵌入部材４５、４６の間および被嵌入部材４７，４８の間はそれぞれ、間接工法用シートはさみ１の挟持部１０ａ、１１ａの幅に相当する距離だけ離してある。
【００２９】
各区画４３には、折り目４２ａと被嵌入部材４５、４６との間で、該被嵌入部材４５、４６寄りの所定の位置（絶縁シート４２を間接工法用シートはさみ１には挟みこんだときに屈曲部２２の挟持部１０ａとの付け根位置）にこれらに平行に１条の柔軟な折曲部４３ｂを設けることができる。また、区画４４にも同様に被嵌入部材４７、４８寄りにこれらに平行に１条の柔軟な折曲部４４ｂを設けることができる。これらの折曲部４３ａ、４４ａを設けることで、これらに沿って区画４３、４４を折り曲げ易くなる。
【００３０】
棒状体４０，４１は、長さ方向に直交する方向の断面が円形であり、絶縁性の材質で形成されている。棒状体４０、４１の直径は、間接工法用シートはさみ１の挟持部１０ａ、１１ａの先端部にそれぞれ設けられた貫通孔１２、１３にちょうど嵌入可能な程度に設定されている。
【００３１】
本発明の間接シート２は、従来公知の方法を用いて以下のように組み立てられる。まず、間接工法用シートはさみ１の挟持部１０ａ、１１ａの間に、折り目４２ａが操作部側にくるように２つ折りした絶縁シート４２を挟みこむ。このとき、挟持部１０ａ、１１ａの先端側では、絶縁シート４２を挟持部１０ａ、１１ａに対して以下のように位置合わせを行う。
（１）被嵌入部材４５、４６及び被嵌入部材４７、４８の間にそれぞれ挟持部１０ａの屈曲部２２および挟持部１１ａの先端部が位置するようにする。
（２）各区画４３，４４の折曲部４３ｂ、４４ｂが、屈曲部２２の挟持部１０ａとの付け根位置および挟持部１１ａの先端部端縁にそれぞれ位置するようにする。
【００３２】
次に、棒状体４０を被嵌入部材４５の開口４５ａ、挟持部１０ａの貫通孔２３および被係止部材４６の開口４６ａに順次挿通するとともに、棒状体４１を被嵌入部材４７の開口４７ａ、挟持部１１ａの貫通孔１３および被嵌入部材４８の開口４８ａに順次挿通する。これにより、絶縁シート４２は、その折り目４２ａが本発明の間接工法用シートはさみ１の２つの挟持部１０ａ、１１ａ間の空間において奥の軸１５側に配置された状態で、先端側では区画４３，４４の折曲部４３ｂ、４４ｂが所定の位置に配置され、棒状体４０、４１によってそれぞれの区画の先端領域４３ａ、４４ａが屈曲部２２の内面および挟持部１１ａの先端面にそれぞれ密着した状態で固定される。このとき、各区画４３，４４の先端領域４３ａ、４４ａはともに、これらの幅（折曲部からこれに平行な先端の辺までの長さ）を屈曲部２２の挟持部１０ａの内面からの突出高さよりもわずかに長く設定し、多少間接シート２の外側にはみ出すようにすることができる。
【００３３】
以上説明したように、本発明の間接工法用シートはさみは、従来からの絶縁シートの仮固定に使用するだけでなく、複数の電線を挟持する場合にも電線の抜け出しがないので、電線の仮固定にも好適に使用できる。そして、特に熟練していない作業者でも短時間で作業を行うことができ、作業効率化が図られる。また、本発明の間接工法用シートはさみは、従来の間接工法用シートはさみの一部改良によって容易に作製できる。
【００３４】
また、本実施形態の間接シートは、その挟持力の改善を図らずとも、このように先端に屈曲部または突起部を備えるので、複数の電線をこれで挟持する場合でも、電線が抜け出ることがなく、安全に電線を防護するとともに、作業者から隔離することができる。
【符号の説明】
【００３５】
１    間接工法用シートはさみ
１０    第１挟持部材
１０ａ    挟持部
１０ｂ    操作部
１０ｃ、１０ｄ、１０ｇ、１１ｈ    凹部
１１    第２挟持部材
１１ａ    挟持部
１１ｂ    操作部
１１ｃ、１１ｄ、１１ｇ、１１ｈ    凹部
１２、１３、２３    貫通孔
１８，１９    クッション材
２０    開口
２２、２６    屈曲部
２８    軸
３１    屈曲部
３２、３４    貫通孔
３３    差込用突片
４０，４１    棒状体
４２    絶縁シート
４２ａ    折り目
４３、４４    区画
４３ａ、４４ａ    区画４３，４４の先端領域
４３ｂ、４４ｂ    区画４３，４４における折曲部
４５、４６、４７、４８    被嵌入部材
【図１】
0005484840.tif 000002
【図２】
0005484840.tif 000003
【図３】
0005484840.tif 000004
【図４】
0005484840.tif 000005
【図５】
0005484840.tif 000006
【図６】
0005484840.tif 000007
【図７】
0005484840.tif 000008
【図８】
0005484840.tif 000009
【図９】
0005484840.tif 000010
【図１０】
0005484840.tif 000011
【図１１】
0005484840.tif 000012